(57)【要約】【課題】カバン、ノート、手帳、ダイアリー、財布、本など、個人の私生活露出の恐れがある製品と、電子辞典、ゲーム機、デジタルカメラ、ウォークマンなどの家電製品、電子製品など、遮断装置またはロック装置を必要とする製品とをクリップやニッパーのような、つまむ構造を用いてロックするか、遮断することができるニッパー構造を用いる遮断装置を提供すること。【解決手段】把持空間を形成する上下側加圧部と、該上下側加圧部を相互支持または接続し、上下側加圧部に把持力を提供する支持部または接続部とを備える本体と、該本体に設けられ、前記上下側加圧部を開くための力を伝達する機能を有する開閉手段と、前記本体を囲んで設けられ、上下側加圧部を開けようとする力を遮断する機能を有するカバー部材とを備える。本発明のニッパー構造を用いる遮断装置は、カバン、ノート、手帳、ダイアリー、財布、本など、個人の私生活露出の恐れがある製品と、電子辞典、ゲーム機、デジタルカメラ、ウォークマンなどの家電製品、電子製品など、遮断装置またはロック装置を必要とする製品との部品として広く適用が可能であり、クリップやニッパーのように、つまむ構造を用いることにより、その構造が相対的に簡単であり、様々な材質及びデザインの適用が容易であり、消費者に保安に関する心理的・物理的安定感を提供し、遮断装置の商品的価値を高めることができる。
2010530939.tif 000002
【特許請求の範囲】
【請求項１】
把持空間を形成する上下側加圧部と、該上下側加圧部を支持し、上下側加圧部に把持力を提供する支持部とを備える本体と、
該本体を囲み、前記上下側加圧部を開くための力を前記本体に加えることを遮断するカバー部材と、
を備えることを特徴とするニッパー構造を用いる遮断装置。
【請求項２】
前記本体に設けられ、前記上下側加圧部を開くための力を前記本体の上下側加圧部に伝達する機能を有する開閉手段を備えることを特徴とする請求項１に記載のニッパー構造を用いる遮断装置。
【請求項３】
前記本体及びカバー部材に設けられ、前記本体に対してカバー部材を固定するロック部を備えることを特徴とする請求項１に記載のニッパー構造を用いる遮断装置。
【請求項４】
前記上下側加圧部に設けられ、前記上下側加圧部が結合する部分の滑り及び外れを防止し、補助する機能を有する摩擦部をさらに備えることを特徴とする請求項１に記載のニッパー構造を用いる遮断装置。
【請求項５】
前記開閉手段が、前記上下側加圧部の少なくとも一側に設けられ、前記開閉手段に力を加えることが容易になるように補助するてこ構造のレバー部材をさらに備えることを特徴とする請求項２に記載のニッパー構造を用いる遮断装置。
【請求項６】
前記ロック部が、前記カバー部材に設けられ、該カバー部材の機能を遮断し、前記カバー部材の一部のみを開け閉めして、本体の一部のみを露出させる機能を有するドアと、
前記カバー部材とドアとの相互作用する位置に設けられ、ドアの開け閉めをロックする錠と、
をさらに備えることを特徴とする請求項３に記載のニッパー構造を用いる遮断装置。
【請求項７】
前記ロック部が、
前記本体及びカバー部材に設けられ、前記カバー部材を側方に摺動可能に支持して、開け閉めする機能を補助するガイド部と、
前記本体とカバー部材との相互作用する位置に設けられ、前記カバー部材の開け閉めをロックする錠と、
をさらに備えることを特徴とする請求項３に記載のニッパー構造を用いる遮断装置。
【請求項８】
前記本体とカバー部材との相互作用する位置に設けられ、前記本体を囲むカバー部材を円滑に開け閉めし、ロックする機能を有するロック部と、該ロック部が前記カバー部材に設けられ、前記カバー部材の機能を遮断し、前記カバー部材の一部のみを開け閉めして、本体の一部のみを露出させる機能を有するドアと、前記カバー部材とドアとの相互作用する位置に設けられ、ドアの開け閉めをロックする錠とを備え、
前記上下側加圧部に設けられ、前記上下側加圧部が結合する部分の滑り及び外れを防止し、補助する機能を有する摩擦部と、該摩擦部が、上下側加圧部の内側に設けられて外れを防止する突起と、滑りを防止するパッドとを備え、
前記本体に設けられ、前記上下側加圧部の把持力を補強する補強弾性部材と、前記カバー部材に設けられ、製品とカバー部材とを接続するチェーンと、
を備えることを特徴とする請求項５に記載のニッパー構造を用いる遮断装置。
【請求項９】
前記本体とカバー部材との相互作用する位置に設けられ、前記本体を囲むカバー部材を円滑に開け閉めし、ロックするロック部と、該ロック部が、前記本体とカバー部材とに設けられ、前記カバー部材を側方に摺動可能に支持し、開け閉めする機能を補助するガイド部と、前記本体とカバー部材との相互作用する位置に設けられ、前記カバー部材の開け閉めをロックする錠とを備え、
前記上下側加圧部に設けられ、前記上下側加圧部が結合する部分の滑り及び外れを防止し、補助する機能を有する摩擦部と、該摩擦部が、上下側加圧部の内側に設けられて外れを防止する突起と、滑りを防止するパッドとを備え、
前記本体に設けられ、前記上下側加圧部の把持力を補強する補強弾性部材と、前記カバー部材に設けられ、製品とカバー部材とを接続するチェーンと、
を備えることを特徴とする請求項５に記載のニッパー構造を用いる遮断装置。
【請求項１０】
前記上下側加圧部に設けられ、前記上下側加圧部が結合する部分の滑り及び外れを防止し、補助する機能を有する摩擦部をさらに備えることを特徴とする請求項７に記載のニッパー構造を用いる遮断装置。
【請求項１１】
把持空間を形成する上下側加圧部と、該上下側加圧部を接続する接続バーとを備える本体と、
該本体に設けられ、前記上下側加圧部に把持力を提供する加圧部材と、
前記本体を囲んで設けられ、前記上下側加圧部を開くための力を前記本体に加えることを遮断する機能を有するカバー部材と、
を備えることを特徴とするニッパー構造を用いる遮断装置。
【請求項１２】
前記本体に設けられ、前記上下側加圧部を開くための力を前記本体の上下側加圧部に伝達する機能を有する開閉手段を備えることを特徴とする請求項１１に記載のニッパー構造を用いる遮断装置。
【請求項１３】
前記本体及びカバー部材に設けられ、前記本体に対してカバー部材を固定するロック部を備えることを特徴とする請求項１１に記載のニッパー構造を用いる遮断装置。
【請求項１４】
前記上下側加圧部に設けられ、前記上下側加圧部が結合する部分の滑り及び外れを防止し、補助する機能を有する摩擦部をさらに備えることを特徴とする請求項１１に記載のニッパー構造を用いる遮断装置。
【請求項１５】
前記開閉手段が、前記上下側加圧部の少なくとも一側に設けられ、前記開閉手段に力を加えることが容易になるように補助するてこ構造のレバー部材をさらに備えることを特徴とする請求項１２に記載のニッパー構造を用いる遮断装置。
【請求項１６】
前記ロック部が前記カバー部材に設けられ、前記カバー部材の機能を遮断し、前記カバー部材の一部のみを開け閉めして、本体の一部のみを露出させる機能を有するドアと、
前記カバー部材とドアとの相互作用する位置に設けられ、ドアの開け閉めをロックする錠と、
をさらに備えることを特徴とする請求項１３に記載のニッパー構造を用いる遮断装置。
【請求項１７】
前記ロック部が前記本体及びカバー部材に設けられ、前記カバー部材を側方に摺動可能に支持し、開け閉めする機能を補助するガイド部と、
前記本体とカバー部材との相互作用する位置に設けられ、前記カバー部材の開け閉めをロックする錠と、
をさらに備えることを特徴とする請求項１３に記載のニッパー構造を用いる遮断装置。
【請求項１８】
前記本体とカバー部材との相互作用する位置に設けられ、前記本体を囲むカバー部材を円滑に開け閉めし、ロックする機能を有するロック部と、該ロック部が前記カバー部材に設けられ、前記カバー部材の機能を遮断し、前記カバー部材の一部のみを開け閉めして、本体の一部のみを露出させる機能を有するドアと、前記カバー部材とドアとの相互作用する位置に設けられ、ドアの開け閉めをロックする錠とを備え、
前記上下側加圧部に設けられ、前記上下側加圧部が結合する部分の滑り及び外れを防止し、補助する機能を有する摩擦部と、該摩擦部が、上下側加圧部の内側に設けられて外れを防止する突起と、滑りを防止するパッドとを備え、
前記本体に設けられ、前記上下側加圧部の把持力を補強する補強弾性部材と、前記カバー部材に設けられ、製品とカバー部材とを接続するチェーンと、
を備えることを特徴とする請求項１５に記載のニッパー構造を用いる遮断装置。
【請求項１９】
前記本体とカバー部材との相互作用する位置に設けられ、前記本体を囲むカバー部材を円滑に開け閉めし、ロックする機能を有するロック部と、該ロック部が前記本体及びカバー部材に設けられ、前記カバー部材を側方に摺動可能に支持して開け閉めする機能を補助するガイド部と、前記本体とカバー部材との相互作用する位置に設けられ、前記カバー部材の開け閉めをロックする錠とを備え、
前記上下側加圧部に設けられ、前記上下側加圧部が結合する部分の滑り及び外れを防止し、補助する機能を有する摩擦部と、該摩擦部が上下側加圧部の内側に設けられて外れを防止する突起と、滑りを防止するパッドとを備え、
前記本体に設けられ、前記上下側加圧部の把持力を補強する補強弾性部材と、
前記カバー部材に設けられ、製品とカバー部材とを接続するチェーンと、
を備えることを特徴とする請求項１５に記載のニッパー構造を用いる遮断装置。
【請求項２０】
前記上下側加圧部に設けられ、前記上下側加圧部が結合する部分の滑り及び外れを防止し、補助する機能を有する摩擦部と、
をさらに備えることを特徴とする請求項１７に記載のニッパー構造を用いる遮断装置。
【請求項２１】
把持空間を形成する上下側加圧部と、該上下側加圧部を支持し、上下側加圧部に把持力を提供する支持部とを備える本体と、
該本体に設けられ、前記上下側加圧部を開くための力を前記本体の上下側加圧部に伝達する機能を有する開閉手段とを備え、
該開閉手段が、前記上下側加圧部に設けられ、前記開閉手段に力を加えることが容易になるように補助するてこ構造のレバー部材を備え、
前記本体とレバー部材とが相互作用する位置に、前記レバー部材の作用を遮断する機能を有するロック部を備え、該ロック部が、前記本体及びレバー部材に設けられ、前記レバー部材の作用を遮断し、ロックする錠を備えることを特徴とするニッパー構造を用いる遮断装置。
【請求項２２】
把持空間を形成する上下側加圧部と、該上下側加圧部を接続する接続バーとを備える本体と、
該本体に設けられ、前記上下側加圧部に把持力を提供する加圧部材と、
前記本体に設けられ、前記上下側加圧部を開くための力を前記本体の上下側加圧部に伝達する機能を有する開閉手段とを備え、
該開閉手段が、前記上下側加圧部に設けられ、前記開閉手段に力を加えることが容易になるように補助するてこ構造のレバー部材を備え、
前記本体とレバー部材とが相互作用する位置に、前記レバー部材の作用を遮断する機能を有するロック部を備え、該ロック部が前記本体及びレバー部材に設けられ、前記レバー部材の作用を遮断し、ロックする錠を備えることを特徴とするニッパー構造を用いる遮断装置。
【発明の詳細な説明】
【技術分野】
【０００１】
本発明は、遮断装置に関し、より詳細には、私生活露出の恐れがあるカバン、手帳、本、電子辞典、及びゲーム機などをロックするか、遮断し、遮断装置やロック装置を必要とする製品の部品として適用可能なニッパー構造を用いる遮断装置に関する。
【背景技術】
【０００２】
一般に、カバン、ハンドバッグ、ダイアリー、ノートなどは、ユーザの私生活が露出する恐れがあるため、別のロック装置を備えている。しかし、このようなロック装置は、ほとんどカバン、ダイアリーなどの本体に装着されて、これらと一体に形成された構成を有している。
【０００３】
例えば、大韓民国登録実用新案第０２７２９６３号には、ジッパー固定装置が開示されており、登録実用新案第０３７９７８９号には、ダイアリー手帳のロック装置が開示されており、登録実用新案第０３４３９６０号には、ダイアリーロック装置が開示されている。
【０００４】
前記ジッパー固定装置は、衣服またはカバンのジッパーラインの終端に設置された弾性部材により緊張されるロック部材がジッパーの取っ手の孔にかかる構造を有する。このような固定装置は、衣服やカバンに固定されているため、相対的に使用し難い。
【０００５】
一方、公開実用新案公報１９９８−６８７３１号には、錠を備えた手帳が開示されている。開示された錠を備えた手帳は、後面カバーの錠掛け具を前面カバーの締結片に穿孔された挿入孔を介して挿入した後、前記錠掛け具の締結孔に錠を締結してロック状態を維持する構成を有する。
【０００６】
しかし、上記のように構成された錠を備えた手帳は、該手帳に記録された内容を他人に見られないようにすることにより、私生活を保護することはできるが、手帳に錠が設置された構成を有しているため、手帳を使用した後、錠を再使用することができない。また、手帳に錠が設置された状態で販売されるため、手帳の単価が上昇するという問題点がある。
【０００７】
そして、実用新案登録第２０−０３１０３６７号には、ニッパーの錠が開示されている。このニッパーの錠は、ニッパーの２つの取っ手のうちの１つの取っ手が本体端部と着脱し易いように構成し、前記本体端部が折り曲げられて互いに異なる幅を有する複数個の凹溝が形成され、前記本体端部に着脱される取っ手の一面に、前記凹溝に対応する凹凸が形成された構成を有する。
【０００８】
上記のように構成されたニッパーを用いるロック装置は、本体を開くための一側の取っ手を除去することにより、ニッパー本体を開くことができないようにしたものであって、使用が不便であり、デザイン機能が弱くて商品性を向上させることができない。
【発明の概要】
【発明が解決しようとする課題】
【０００９】
本発明は、上記のような従来技術の問題点を解決するために提案されたものであって、その目的は、カバン、ノート、手帳、ダイアリー、財布、本など、個人の私生活露出の恐れがある製品と、電子辞典、ゲーム機、デジタルカメラ、ウォークマンなどの家電製品、電子製品など、遮断装置またはロック装置を必要とする製品とをクリップやニッパーのような、つまむ構造を用いてロックまたは遮断することができるニッパー構造を用いる遮断装置を提供することにある。
【００１０】
本発明の他の目的は、ニッパー構造を用いて遮断装置を実現することにより、ニッパー構造を用いる遮断装置を製品の部品として有用に装着して使用可能であり、その構造が相対的に簡単で、様々な材質及びデザインによる設計の自由度を高めることができ、さらには、消費者に保安に関する心理的・物理的安定感を提供し、遮断装置の商品的価値を高めることができるニッパー構造を用いる遮断装置を提供することにある。
【課題を解決するための手段】
【００１１】
そこで、上記の目的を達成するための本発明によるニッパー構造を用いる遮断装置は、把持空間を形成する上下側加圧部と、該上下側加圧部を支持し、上下側加圧部に把持力を提供する支持部とを備える本体と、該本体に設けられ、前記上下側加圧部を開くための力を前記本体の上下側加圧部に伝達する機能を有する開閉手段と、前記本体内外側の一定部分以上を囲んで備えられ、前記上下側加圧部を開くための力を前記本体に加えることを遮断する機能を有するカバー部材とを備えることを特徴とする。
【００１２】
本発明において、前記開閉手段が、前記上下側加圧部の少なくとも一側に設けられ、前記開閉手段に力を加えることが容易になるように補助するてこ構造のレバー部材を備え、前記本体とカバー部材との相互作用する位置には、前記本体を囲むカバー部材を円滑に開け閉めし、ロックする機能を有するロック部をさらに備える。
【００１３】
前記ロック部が、前記カバー部材に設けられ、該カバー部材の機能を遮断し、前記カバー部材の一部のみを開け閉めして、本体の一部のみを露出させる機能を有するドアと、前記カバー部材とドアとの相互作用する位置に設けられ、ドアの開け閉めをロックする錠とを備える。
【００１４】
そして、前記上下側加圧部に設けられ、前記上下側加圧部が結合する部分の滑り及び外れを防止し、補助する機能を有する摩擦部をさらに備えるが、前記摩擦部が、上下側加圧部の内側に設けられて、外れを防止する第１の突起及び第２の突起または滑りを防止する第１のパッド及び第２のパッドを備える。
【００１５】
前記本体には、前記上下側加圧部の把持力を補強する補強弾性部材を設け、前記カバー部材には、製品とカバー部材とを接続するチェーンを備える。
【００１６】
また、上記の目的を達成するための本発明によるニッパー構造を用いる遮断装置は、把持空間を形成する上下側加圧部と、該上下側加圧部を支持し、上下側加圧部に把持力を提供する支持部とを備える本体と、該本体に設けられ、前記上下側加圧部を開くための力を前記本体の上下側加圧部に伝達する機能を有する開閉手段とを備え、前記開閉手段が、前記上下側加圧部に設けられ、前記開閉手段に力を加えることが容易になるように補助するてこ構造のレバー部材を備え、前記本体とレバー部材とが相互作用する位置に、前記レバー部材の作用を遮断する機能を有するロック部を備え、該ロック部が、前記本体及びレバー部材に設けられ、前記レバー部材の作用を遮断し、ロックする錠と、該錠の移動を容易に補助するガイド部とを備え、前記錠が、前記レバー部材の作用を遮断することができる大きさの錠ケースの内側に施錠部及び開錠部を有する錠本体と、前記施開錠部の延長軸に設けられる係止部材とを備えることを特徴とする。
【００１７】
一方、前記本体は、把持空間を形成する上下側加圧部と、該上下側加圧部を接続する接続バーとを備える本体と、該本体に設けられ、前記上下側加圧部に把持力を提供する加圧部材とで構成して代替適用することができ、このような構成は、前記自体弾性の把持力を有する本体に代えて適用するようになる。
【発明の効果】
【００１８】
本発明に係るニッパー構造を用いる遮断装置は、カバン、ノート、手帳、ダイアリー、財布、本など、個人の私生活露出の恐れがある製品と、電子辞典、ゲーム機、デジタルカメラ、ウォークマンなどの家電製品、電子製品など、遮断装置またはロック装置を必要とする製品とに広く適用が可能であり、ニッパー構造を用いる遮断装置を製品の部品としても有用に装着して使用することができる。また、様々な材質及びデザインを適用可能であり、設計の自由度を高めることができ、消費者に保安に関する心理的・物理的安定感を提供し、遮断装置の商品的価値を高めることができる。
【図面の簡単な説明】
【００１９】
【図１】本発明に係るニッパー構造を用いる遮断装置の分離斜視図である。
【図２】本発明の本体を示した斜視図である。
【図３】摩擦部が第１の突起及び第２の突起で構成された様々な実施形態を示した斜視図である。
【図４】摩擦部が第１の突起及び第２の突起で構成された様々な実施形態を示した斜視図である。
【図５】摩擦部が第１の突起及び第２の突起で構成された様々な実施形態を示した斜視図である。
【図６】摩擦部が第１の突起及び第２の突起で構成された様々な実施形態を示した斜視図である。
【図７】摩擦部が第１のパッド及び第２のパッドで構成された実施形態を示した斜視図である。
【図８】摩擦部が突起とパッドとで組み合わせられた実施形態を示した斜視図である。
【図９】摩擦部が突起とパッドとで組み合わせられた他の実施形態を示した側面図である。
【図１０】摩擦部が調節ねじで構成された実施形態を示した斜視図である。
【図１１】摩擦部が磁性体で構成された実施形態を示した斜視図である。
【図１２】摩擦部が締結手段で結合される実施形態を示した斜視図である。
【図１３】本体及び開閉手段であるレバー部材の様々な実施形態を示した斜視図である。
【図１４】本体及び開閉手段であるレバー部材の様々な実施形態を示した斜視図である。
【図１５】本体及び開閉手段であるレバー部材の様々な実施形態を示した斜視図である。
【図１６】本体及び開閉手段であるレバー部材の様々な実施形態を示した斜視図である。
【図１７】本体及び開閉手段であるレバー部材の様々な実施形態を示した斜視図である。
【図１８】本体及び開閉手段であるレバー部材の様々な実施形態を示した斜視図である。
【図１９】本体及び開閉手段であるレバー部材の様々な実施形態を示した斜視図である。
【図２０】開閉手段が引張部材で構成された実施形態を示した斜視図である。
【図２１】開閉手段が引張部材で構成された実施形態を示した斜視図である。
【図２２】本体に開閉手段が構成されない実施形態を示した斜視図である。
【図２３】本体とカバー部材とを結合する結合手段及びロック部を示した分離斜視図である。
【図２４】番号操作式施開錠部で構成された錠を示した斜視図である。
【図２５】カバー部材が本体の一部のみを囲む構造を示した例示図である。
【図２６】カバー部材が摺動して本体と結合する構造を示した分離斜視図である。
【図２７】本体が接続バー及び加圧部材を備えて構成された実施形態を示した斜視図である。
【図２８】図２７の他のレバー部材を示した斜視図である。
【図２９】図２７の他の加圧部材を示した側面図である。
【図３０】本発明に係るニッパー構造を用いる遮断装置の他の実施形態を示した斜視図である。
【図３１】図３０に示されたニッパー構造を用いる遮断装置の断面図である。
【図３２】本発明に係るニッパー構造を用いる遮断装置が物を直接結合する使用例を示した状態図である。
【図３３】本発明に係るニッパー構造を用いる遮断装置が物を直接結合する使用例を示した状態図である。
【図３４】本発明に係るニッパー構造を用いる遮断装置がチェーンに縄を接続して物を遮断する使用例を示した状態図である。
【図３５】本発明に係るニッパー構造を用いる遮断装置がチェーンに縄を接続して物を遮断する使用例を示した状態図である。
【図３６】本発明に係るニッパー構造を用いる遮断装置のカバー部材がカバン状にデザインされた実施形態を示した状態図である。
【発明を実施するための形態】
【００２０】
本発明に係るニッパー構造を用いる遮断装置は、私生活露出の恐れがある全ての製品に使用可能であり、製品の遮断装置だけでなく、キャラクタ製品に適用して、機能的な装飾品としても使用することができるものであり、キャラクタ人形形状でカバー部材を構成した一実施形態を図１に示した。
【００２１】
同図に示すように、ニッパー構造を用いる遮断装置１０は、把持空間１１を形成する上下側加圧部１２、１３と、該上下側加圧部１２、１３を支持し、上下側加圧部１２、１３に把持力を提供する支持部１４とを備える本体１５と、該本体１５に設けられ、前記上下側加圧部１２、１３を開くための力を前記本体の上下側加圧部１２、１３に伝達する機能を有する開閉手段３０と、前記上下側加圧部１２、１３の少なくとも一側に設けられ、前記開閉手段３０に力を加えることが容易になるように補助するてこ構造のレバー部材３１と、前記本体１５の内外側の一定部分以上を囲んで設けられ、前記上下側加圧部１２、１３を開くための力を前記本体１５に加えることを遮断する機能を有するカバー部材５０と、前記本体１５とカバー部材５０との相互作用する位置には、前記本体１５を囲むカバー部材５０を円滑に開け閉めし、ロックする機能を有するロック部６０とを備える。
【００２２】
上述したように構成された本発明に係るニッパー構造を用いる遮断装置を、構成要素別に詳細に説明すれば、次のとおりである。
【００２３】
前記ニッパー構造を用いる遮断装置の本体１５は、クリップまたはニッパー構造のような、つまむ形でなされ得る。前記本体１５は、図１及び図２に示すように、自体弾性を有する板状の部材が折り曲げられてなされ得る。前記上側加圧部１２及び下側加圧部１３の端部は相互接触され、前記支持部１４は、把持できるボリュームを決定するもので、その高さ及び幅は調節可能である。特に、前記本体１５は、自体弾性力を有する板材のみならず、合成樹脂、針金類など、様々な形状や材質を使用することになり、その形状も多様に構成される。
【００２４】
また、前記支持部１４は、前記上下側加圧部１２、１３に適切な把持力を提供するようになるので、図２に示すように、前記支持部１４に把持力を増強させる補強ビード（図示せず）が形成されるか、または、補強弾性部材１６が設置され得る。ここで、前記補強弾性部材１６は、本体１５の内外側を囲む弾性体でなされ得るが、これに限定されるものではない。
【００２５】
そして、前記本体１５の端部には、前記上下側加圧部１２、１３が結合する部分の滑り及び外れを防止し、補助する摩擦部２０が設置され得るが、この摩擦部２０は、図３、図４、図５、及び図６に示すように、上側加圧部１２の端部、または上側加圧部１２の内面に設置される第１の突起２１と、対応する前記下側加圧部１３の端部、または下側加圧部１３の内面に設置される第２の突起２２とからなり得る。ここで、前記第１の突起及び第２の突起２１、２２の端部は、図３及び図５に示すように尖鋭に形成し、相互干渉を受けないように交差して形成することが好ましい。このとき、尖鋭に構成された突起２１、２２は、結合した部分を開けて固定する。
【００２６】
一方、図３及び図５に示すように、第１の突起及び第２の突起２１、２２が相互干渉を少なく受けるように、上下側加圧部１２、１３に突起２１、２２が構成される部分を、突起が構成されない部分より相対的に大きく離隔させることが好ましい。
【００２７】
また、前記突起２１、２２は、その特性に応じて本体１５と一体に設けられるか、またはねじ締めなど、様々な方法によって取り付けられる。一方、第１の突起及び第２の突起２１、２２は図１０に示すように、上下側加圧部１２、１３の端部に各々調節ねじ２６を結合して、その高さを調節できるように構成することも可能である。
【００２８】
前記摩擦部２０は図７及び図８に示すように、上下側加圧部１２、１３の相互対応する内面に設けられ、製品を結合するときに滑りを防止する第１のパッド及び第２のパッド２３、２４を構成することができる。前記パッド２３、２４は結合しようとする位置の特性に応じて変わることができるが、軟質のゴム材またはベルクロテープなどの摩擦力を高めることができる材質を使用し、前記パッド２３、２４には、摩擦力を高めるための凹凸が形成され得る。
【００２９】
一方、前記パッド２３、２４は、その材質と本体１５の構成材質とに応じて、接着、ねじ締めなどの様々な方法で取り付けられることができる。そして、前記摩擦部２０は図８に示すように、前記第１の突起及び第２の突起２１、２２と第１のパッド及び第２のパッド２３、２４とが組み合わせられて構成されることが好ましい。前記摩擦部２０は、上述した実施形態により限定されるものではなく、前記上下側加圧部１２、１３が相互結合され得るように波状で折り曲げられてなされ得る。前記摩擦部２０は図１１に示すように、永久磁石２５でなされることができ、図１２に示すように、第１の突起及び第２の突起２１、２２と第１のパッド及び第２のパッド２３、２４とが形成された支持ブラケット２８が本体１５の上下側加圧部１２、１３の端部に各々結合されることにより、第１の突起及び第２の突起２１、２２と第１のパッド及び第２のパッド２３、２４との設置及び使用が容易になる。ここで、前記支持ブラケット２８は、上下側加圧部１２、１３と締結手段２９とにより結合され得る。前記締結手段２９は、支持ブラケット２８に形成された締結溝２９Ａと、前記上下側加圧部１２、１３に形成された締結突起２９Ｂとからなる。
【００３０】
前記開閉手段３０は、前記本体１５に設けられ、前記上下側加圧部１２、１３を開くための力を前記本体１５の上下側加圧部１２、１３に伝達する機能を有するものであって、図１３、図１４、図１５、図１６、図１７、図１８、図１９及び図２０、図２１に示すように、様々な形状で備えることができる。一実施形態として図２０及び図２１に示すように、開閉手段３０は、手や道具により上下側加圧部１２、１３に直接力を加えることができる引張部材３２の形状で備えられることができ、図１３〜図１８に示すように、前記上下側加圧部１２、１３に容易に力を加えることができるように補助するてこ構造のレバー部材３１の形状で備えられることもできる。また、図１９に示すように、上下側加圧部１２、１３を上下側で押さえる形状を有するレバー部材で備えられることもできる。
【００３１】
このとき、図２２に示すように、開閉手段３０が設けられない本体１５は、上下側加圧部を開くために、別の開閉道具９０を用いなければならないという不便があるため、前記本体１５に開閉手段３０を設けることにより、使用し易くすることができる。前記レバー部材３１は図１４及び図１８に示すように、上側加圧部１２または下側加圧部１３にガイド溝３３が形成され、このガイド溝３３に板状や棒状のレバー部材３１が摺動可能に設置された構成を有することができる。前記ガイド溝３３は、前記上側加圧部１２または下側加圧部１３にビード加工されてなされるか、別のガイド部材が設置されてなされ得る。
【００３２】
前記レバー部材３１は、上述した実施形態によって限定されるものではなく、図１５、図１６、及び図１７に示すように、上下側加圧部１２、１３の少なくとも一側に回動または移動可能に設置されるレバー部材３１からなることができる。
【００３３】
前記レバー部材３１は、上側加圧部１２または下側加圧部１３がランシング加工されてなされ得るし、図１６及び図１７に示すように、レバー部材３１がワイヤからなり得るが、このレバー部材３１の端部は、上側加圧部１２または下側加圧部１３にヒンジ接続される。
【００３４】
一方、図２７、図２８、及び図２９に示すように、前記本体は、上側加圧部１２及び下側加圧部１３の後端部側に相互対向する方向に接続バー１８Ａ、１８Ｂが設けられ、この接続バー１８Ａ、１８Ｂがヒンジ軸１８Ｃに相互ヒンジ結合されて構成することもできる。このとき、上側加圧部１２及び下側加圧部１３には、把持力を提供できるように、前記本体に加圧部材１９が結合されて構成され得る。
【００３５】
また、前記加圧部材１９は、板ばね、コイルばね、またはトーションばねなどのように、弾性力を有する部材を上下側加圧部１２、１３が相互作用するように構成するが、これに限定されるものではない。前記加圧部材１９のさらに他の実施形態として、前記接続バー１８Ａ、１８Ｂに上下側加圧部を開けることができる機械装置を備えることもできる。前記機械装置には、力を発生させるモータなどの動力装置が内蔵され、動力装置の力によって上下側加圧部１２、１３が広がる（図示せず）。このような構成は、前記自体弾性の把持力を有する本体１５に代えて適用するようになる。
【００３６】
さらに、前記上下側加圧部１２、１３には、これらの端部から後方に延長されるレバー部材３１を一体に備えることができるが、これに限定されるものではなく、図２８の実施形態のように、別に構成されたレバー部材３１が上下側加圧部１２、１３に設置され得るし、また、引張部材３２が開閉手段３０に備えられることもでき、開閉手段がなくても本体が構成されることもできる。一方、上側加圧部１２及び下側加圧部１３には上述したような摩擦部２０を備えることができ、これに対する結合方法と効果は、上記で説明したので、省略する。
【００３７】
図１及び図２３に示すように、前記カバー部材５０は、前記本体１５の内外側の一定部分以上を囲んで設けられ、前記上下側加圧部１２、１３を開くための力を前記本体１５に加えることを遮断する機能を有する。図１及び図２３に示された一実施形態のように、前記カバー部材５０は、前記本体１５の上側加圧部１２を囲む第１のカバー部５１と、前記下側加圧部１３を囲む第２のカバー部５２と、前記第１のカバー部及び第２のカバー部５１、５２を接続する第３のカバー部５３とを備える。前記カバー部材５０は、上述した実施形態により限定されるものではなく、図２５に示すように、開閉手段を直接覆う本体１５の一部のみを囲む構造を有することもできる。また、前記カバー部材５０は図１のように、本体の外側のみならず、内側を全て囲んで構成されることもできる。
【００３８】
また、前記カバー部材５０には、前記本体１５とカバー部材５０との相互作用する位置に、前記本体１５を囲むカバー部材５０を円滑に開け閉めし、ロックする機能を有するロック部６０をさらに備える。
【００３９】
前記ロック部６０は、図１、図２３、及び図２５に示すように、前記本体１５とカバー部材５０とを結合手段によって結合し、結合された状態で開閉手段３０の露出を遮断する構成と、図２６に示すように、前記本体１５に対してカバー部材５０を摺動させて前記開閉手段３０を露出させる構成とを有することができる。
【００４０】
図１及び図２３には、本体１５に固定結合されたカバー部材５０に設けられるロック部６０の一例を示した。
【００４１】
図１及び図２３に示すように、前記ロック部６０は、前記カバー部材５０の第１のカバー部及び第２のカバー部５１、５２、または第３のカバー部５３に開閉手段であるレバー部材３１が露出し得るように開口部６１が形成され、前記第１のカバー部、第２のカバー部、第３のカバー部５１、５２、５３には、前記開口部６１を開閉するドア６５が設けられ、前記ドア６５には、前記ドア６５をロックする錠６７が設けられる。前記錠６７は、ドア６５の端部に設置されるものであって、施錠部及び開錠部を有する錠本体６８と、前記施開錠部の延長軸に設けられて、前記開口部６１に係止する係止部材６９とを備える。ここで、前記本体１５とカバー部材５０との結合は、別の結合手段５５によってなされ得るが、前記結合手段５５は図２３に示すように、前記本体１５に結合孔５５Ａが形成され、これと対応する前記カバー部材５０の内面には、前記結合孔５５Ａと結合する結合フック５５Ｂが形成される。一方、前記結合手段５５は、これに限定されるものではなく、本体１５をカバー部材５０が成型して構成するか、または接着剤で接合させるなど、構成材質に応じて様々な方法を使用することができる。一方、前記ドア６５及び錠６７は、カバー部材５０の構成デザインに応じて第１のカバー部及び第２のカバー部５１、５２にも構成することができる。
【００４２】
一方、図２６には、本体１５に対してカバー部材５０が摺動可能に設けられて、開閉手段３０を露出させる構造に設けられるロック部の他の実施形態を示した。
【００４３】
同図に示すように、ロック部は、本体１５に対してカバー部材５０の相手移動を固定するものであって、カバー部材５０の一側に設けられる錠７１を備える。この錠７１は、施錠部及び開錠部を有する錠本体７２と、前記施錠部及び開錠部の延長軸に設けられて、前記本体１５に形成された結合孔７３に選択的に係止する係止部材７４とを備える。
【００４４】
ここで、前記本体１５及びカバー部材５０には、本体に対してカバー部材５０を摺動可能に支持するガイド部７５をさらに備えることができるが、前記ガイド部７５は、前記上下側加圧部１２、１３の少なくとも一側にガイド溝７５Ａが形成され、該ガイド溝７５Ａと対応するカバー部材５０の内面にガイド突起７５Ｂが形成されて、ガイド突起７５Ｂがガイド溝７５Ａに沿って摺動する構造を有する。
【００４５】
また、図２３、図２４、及び図２６に示すように、前記錠６７、７１は、施錠部及び開錠部を有する錠本体６８、７２と係止部材６９、７４とで構成されるが、前記施開錠部は、図２３に示すように、鍵を挿入して作動する施開錠部を備えるか、または図２４及び図２６に示すように、予め設定された番号を操作して作動する番号操作式施開錠部を備えることができ、このような錠は、公知の技術であって、本明細書ではその細部構成及び作用の説明を省略する。
【００４６】
一方、前記本体１５と結合するカバー部材５０は、アクセサリーまたは装飾効果が期待できるように、カバー部材５０の自体を様々な形のキャラクタ人形形状で備えることができ、生産を容易にするために、成型されたカバー部材に動物、花、写真、宝石などを付着する方法により構成することもできる。
【００４７】
さらに、図２７、図２８、及び図２９に示した実施形態のように、把持空間を形成する上下側加圧部１２、１３と、該上下側加圧部を接続する接続バー１８Ａ、１８Ｂとを備える本体と、該本体に設けられ、前記上下側加圧部に把持力を提供する加圧部材１９とで構成された実施形態において、カバー部材５０及びロック部６０の構成及び結合方法と効果は上記の説明と同様であるため、省略する。
【００４８】
図３０及び図３１には、本発明に係るニッパーを用いる遮断装置の他の実施形態を示した。前記実施形態と同じ図面符号は同じ構成要素を示す。図３０及び図３１に示すように、把持空間を形成する上下側加圧部１２、１３と、該上下側加圧部１２、１３を支持し、上下側加圧部に把持力を提供する支持部１４とを備える本体１５と、該本体１５に設けられ、前記上下側加圧部１２、１３を開くための力を前記本体の上下側加圧部１２、１３に伝達する機能を有する開閉手段３０とを備え、前記開閉手段３０は、前記上下側加圧部１２、１３に設けられて、前記開閉手段３０に力を加えることが容易になるように補助するてこ構造のレバー部材８１を備え、前記本体１５及びレバー部材８１が相互作用する位置に、前記レバー部材８１の作用を遮断する機能を有するロック部８５を備え、該ロック部８５は、前記本体及びレバー部材８１に設けられて、前記レバー部材８１の作用を遮断し、ロックする錠８６と、錠の移動を容易に補助するガイド部（図示せず）とを備える。また、前記錠８６は、前記レバー部材８１の作用を遮断できる大きさの錠ケースの内側に施錠部及び開錠部を有する錠本体８７と、前記施開錠部の延長軸に設けられる係止部材８８とを備える。
【００４９】
このとき、前記ロック部は、回動して折り曲げられる構造のレバー部材８１に錠８６を設置し、前記レバー部材８１は、前記本体１５に回動して折り曲げられた状態で錠の係止部材８８に固定される。
【００５０】
一方、ロック部がレバー部材８１を遮断するさらに他の構成は、前記本体の一側にガイド部（図示せず）を備える。該ガイド部は、前記本体１５の一側にガイド溝が形成され、該ガイド溝と対応する錠本体にガイド突起が形成されて、ガイド突起がガイド溝に沿って前記レバー部材の間に摺動する構造を有し、前記レバー部材は、錠本体の外側にかかって作用できないようになる。
【００５１】
上記実施形態のように、本体の内面には摩擦部２０が形成され得るし、他の構成及び結合方法と効果は上記の説明と同様であるため、省略する。
【００５２】
また、把持空間を形成する上下側加圧部１２、１３と、該上下側加圧部１２、１３を接続する接続バー１８Ａ、１８Ｂとを備える本体１５と、該本体１５に設けられて、前記上下側加圧部１２、１３に把持力を提供する加圧部材１９とで構成した構造に、前記ロック部を備えることができるが、このとき、前記ロック部の構成及び結合方法と効果は上記の説明と同様であるため、省略する。
【００５３】
さらに、図１、図３４、及び図３５に示すように、本体またはカバー部材には、前記ニッパー構造を用いる遮断装置を製品と接続するための接続環１０１を有するチェーン１０２が備えられ得る。前記チェーン１０２の端部には、製品１００にチェーンの端部を固定するための別の固定手段（図示せず）がさらに備えられることができ、前記チェーン１０２は、外部に縄や直接延長する構造で構成され得る。ここで、前記チェーンは、製品に設けられた巻取りリール（図示せず）によって巻かれていることができる。
【００５４】
上述したように構成された本発明に係るニッパーを用いる遮断装置の作用を説明すれば、次のとおりである。
【００５５】
図１、図３２、図３４、及び図３５に示すように、貯金箱２００、カバン３００のジッパー、ノート４００などを遮断するためには、先に、錠６７、８６を開けて開閉手段３０であるレバー部材３１が前記本体１５の上下側加圧部１２、１３に対しててこ役割を果たすように、レバー部材３１を摺動させ、端部が上下側加圧部１２、１３の後方に延長されるようにする。
【００５６】
前記レバー部材３１を用いて上下側加圧部１２、１３を広げて把持部が開くようにし、この把持部に遮断しようとする製品、すなわち、貯金箱、カバン、ノートの結合しようとする部分を挿入する。このとき、貯金箱とかカバンのジッパーのように、間接的に結合して遮断するためには、製品とニッパー構造を用いる遮断装置１０とをチェーン１０２で接続する。
【００５７】
また、前記把持部に結合しようとする部分が挿入された状態で、レバー部材３１に加えられる外力を除去して、前記遮断しようとする製品の結合部分が上下側加圧部によって把持されるようにする。このとき、前記上下側加圧部１２、１３の相互対向する側には摩擦部２０、すなわち、第１の突起及び第２の突起２１、２２、または第１のパッド及び第２のパッド２３、２４が設けられているため、本体１５が前記製品の結合部分から分離されることを防止することができる。上記のように、製品の把持が完了すると、前記レバー部材３１を摺動させ、カバー部材５０に設置されたドア６５を錠６７を用いてかけてレバー部材３１が露出しないようにするか（図１を参照）、または前記カバー部材５０を本体１５に摺動させてレバー部材３１を露出しないようにした後、本体１５に対するカバー部材５０の移動を錠を用いて固定する。（図２６を参照）
上述のようなニッパー構造を用いる遮断装置は、遮断装置の設置が困難なノート、カバン、本、ジッパーなどに容易に適用することができ、様々な形状で製造することができるので、アクセサリーまたは装飾品のような効果を期待することができる。特に、私生活露出が憂慮される製品に容易に適用することができ、商品的価値を高めることができる。
【００５８】
本発明は、図面に示された一実施形態を参考として説明されたが、これは例示的なものに過ぎず、当該技術分野における通常の知識を有した者であれば、これから様々な変形及び均等な実施形態が可能であるという点を理解できるであろう。
【００５９】
本発明に係るニッパー構造を用いる遮断装置は、カバン、手帳、ダイアリー、本など、個人の私生活露出の恐れがある製品と、電子辞典、ゲーム機、電子製品など、遮断装置を必要とする製品とに広く適用可能であり、ニッパー構造を用いる遮断装置を製品の部品としても有用に装着して使用することができる。また、様々な材質及びデザインを適用することができるので、設計の自由度を高めることができ、消費者に保安に関する心理的・物理的安定感を提供し、遮断装置の商品的価値を高めることができる。
【符号の説明】
【００６０】
１０                ニッパー構造を用いる遮断装置
１１                把持空間
１２                上側加圧部
１３                下側加圧部
１４                支持部
１５    、          本体
１６                補強弾性部材
１８Ａ、１８Ｂ      接続バー
１８Ｃ              ヒンジ軸
１９                加圧部材
２０                摩擦部
２１                第１の突起
２２                第２の突起
２３                第１のパッド
２４                第２のパッド
２５                永久磁石
２６                調節ねじ
２８                ブラケット
２９                締結手段
２９Ａ              締結溝
２９Ｂ              締結突起
３０                開閉手段
３１、８１          レバー部材
３２                引張部材
３３、７５Ａ        ガイド溝
５０                カバー部材
５１                第１のカバー部
５２                第２のカバー部
５３                第３のカバー部
５５                結合手段
５５Ａ、７３        結合孔
５５Ｂ              結合フック
６０、８５            ロック部
６１                開口部
６５                ドア
６７、７１、８６    錠
６８、７２、８７    錠本体
６９、７４、８８    係止部材
７５                ガイド部
７５Ｂ              ガイド突起
９０                開閉道具
１００              製品
１０１              接続環
１０２              チェーン
２００              貯金箱
３００              カバン
４００              ノート
【図１】
2010530939.tif 000003
【図２】
2010530939.tif 000004
【図３】
2010530939.tif 000005
【図４】
2010530939.tif 000006
【図５】
2010530939.tif 000007
【図６】
2010530939.tif 000008
【図７】
2010530939.tif 000009
【図８】
2010530939.tif 000010
【図９】
2010530939.tif 000011
【図１０】
2010530939.tif 000012
【図１１】
2010530939.tif 000013
【図１２】
2010530939.tif 000014
【図１３】
2010530939.tif 000015
【図１４】
2010530939.tif 000016
【図１５】
2010530939.tif 000017
【図１６】
2010530939.tif 000018
【図１７】
2010530939.tif 000019
【図１８】
2010530939.tif 000020
【図１９】
2010530939.tif 000021
【図２０】
2010530939.tif 000022
【図２１】
2010530939.tif 000023
【図２２】
2010530939.tif 000024
【図２３】
2010530939.tif 000025
【図２４】
2010530939.tif 000026
【図２５】
2010530939.tif 000027
【図２６】
2010530939.tif 000028
【図２７】
2010530939.tif 000029
【図２８】
2010530939.tif 000030
【図２９】
2010530939.tif 000031
【図３０】
2010530939.tif 000032
【図３１】
2010530939.tif 000033
【図３２】
2010530939.tif 000034
【図３３】
2010530939.tif 000035
【図３４】
2010530939.tif 000036
【図３５】
2010530939.tif 000037
【図３６】
2010530939.tif 000038
【国際調査報告】
2010530939.tif 000039
2010530939.tif 000040